(57)【要約】【課題】第三者が所有する会員情報管理サーバを利用して、よりセキュリティの高い管理システムを提供する。【解決手段】管理システム１０によれば、第三者が所有するサーバであって、会員を認証するための会員情報を管理する会員情報管理サーバ３１は、管理している会員情報と一致する会員情報を入力したコンテンツ実行装置１２に対して認証情報を付与する。コンテンツの配信を中継する中継サーバ３２，３３は、コンテンツ実行装置１２に対するコンテンツ配信サービスの利用の許可／不許可を認証するためのコンテンツ認証情報を管理しており、コンテンツ実行装置１２に付与された認証情報に対応するコンテンツ認証情報を管理している場合に、当該コンテンツ実行装置１２に対するコンテンツの配信を許諾する。【選択図】図１
2014002714.tif 000002
【特許請求の範囲】
【請求項１】
コンテンツ配信サーバ（１１）から配信されるコンテンツを実行するコンテンツ実行装置（１２）と、
第三者が所有するサーバであって、会員として登録されているユーザを認証するための会員情報を管理する会員情報管理サーバ（３１）と、
前記コンテンツ配信サーバから前記コンテンツ実行装置への前記コンテンツの配信を中継する中継サーバ（３２、３３）と、
を含んで構築される管理システムであって、
前記会員情報管理サーバは、
管理している前記会員情報と一致する会員情報を入力した前記コンテンツ実行装置に対して認証情報を付与する認証情報付与手段（５１）を備え、
前記中継サーバは、
前記コンテンツ配信サービスの利用の許可／不許可を認証するためのコンテンツ認証情報を管理するコンテンツ認証情報管理手段（３２１）と、
前記コンテンツ実行装置に付与された前記認証情報に対応する前記コンテンツ認証情報が前記コンテンツ認証情報管理手段によって管理されている場合に、前記コンテンツの配信を許諾する配信許諾手段（８３）と、
を備えることを特徴とする管理システム。
【請求項２】
前記コンテンツ認証情報管理手段は、前記コンテンツ配信サーバによって認証された前記コンテンツ認証情報を管理することを特徴とする請求項１に記載の管理システム。
【請求項３】
前記コンテンツ認証情報管理手段は、複数の前記コンテンツ配信サーバによって認証された複数の前記コンテンツ認証情報を管理することを特徴とする請求項１または２に記載の管理システム。
【請求項４】
前記配信許諾手段は、複数の前記コンテンツ配信サーバからの前記コンテンツの配信をそれぞれ独立して許諾することを特徴とする請求項３に記載の管理システム。
【請求項５】
前記コンテンツ認証情報管理手段は、前記コンテンツに対応する前記コンテンツ認証情報を管理していない場合、そのコンテンツ実行装置に対し、前記コンテンツ認証情報の登録が必要である旨を通知することを特徴とする請求項１から４の何れか１項に記載の管理システム。
【請求項６】
前記コンテンツ認証情報管理手段は、前記配信許諾手段が前記コンテンツ実行装置から初めて取得した前記認証情報に基づき前記コンテンツの配信を許諾した場合には、そのコンテンツ実行装置に対し、前記コンテンツ認証情報の登録が必要である旨を通知することを特徴とする請求項１から５の何れか１項に記載の管理システム。
【請求項７】
前記中継サーバは、
前記コンテンツ認証情報管理手段を備えるコンテンツ認証情報管理サーバ（３２）と、
前記配信許諾手段を備えるコンテンツアクセスサーバ（３３）と、
で構築されていることを特徴とする請求項１から６の何れか１項に記載の管理システム。
【請求項８】
前記コンテンツ実行装置は、
車両に搭載される車両用機器（１２１）と、
前記車両用機器と通信可能に接続される携帯通信端末（１２２）と、
で構成され、
前記車両用機器及び前記携帯通信端末は、それぞれ、相互に連携してコンテンツを実行するための連携アプリケーションを有することを特徴とする請求項１から７の何れか１項に記載の管理システム。
【発明の詳細な説明】
【技術分野】
【０００１】
本発明は、コンテンツ配信サーバからコンテンツ実行装置にコンテンツを配信するコンテンツ配信サービスについて、そのコンテンツ配信サービスの提供対象（サービスの利用者あるいは利用機器）を認証するための情報を管理する管理システムに関する。
【背景技術】
【０００２】
従来より、例えば特許文献１に開示されているように、コンテンツサーバから各種の機器にコンテンツを配信するシステムが提供されている。
【先行技術文献】
【特許文献】
【０００３】
【特許文献１】特開２００８−９２５７５号公報
【発明の概要】
【発明が解決しようとする課題】
【０００４】
この種のコンテンツ配信システムでは、コンテンツ配信サービスの提供対象（サービスの利用者あるいは利用機器）を認証するための情報を管理する管理システムを構築する必要が生じる。そして、管理する情報として、サービスの会員として登録されているユーザを認証するための会員情報と、各機器に対するコンテンツ配信サービスの利用の許可／不許可を認証するためのコンテンツ認証情報とを設けることにより、２段階の認証処理を経てコンテンツ配信サービスを提供することができ、セキュリティの向上を図ることができる。ここで、近年では、例えばインターネット上でコンテンツ配信サービスに限らず種々のサービスが提供されており、そのサービスの会員となったユーザの会員情報を管理するサーバ（会員情報管理サーバ）は多数存在している。そこで、本発明者は、本出願人以外の第三者が所有する会員情報管理サーバを利用して、よりセキュリティの高い管理システムを構築することを試みている。
【０００５】
本発明は上記した事情に鑑みてなされたものであり、その目的は、第三者が所有する会員情報管理サーバを利用して、よりセキュリティの高い管理システムを提供することにある。
【課題を解決するための手段】
【０００６】
本発明によれば、第三者が所有するサーバであって、そのサーバが提供するサービスの会員として登録されているユーザを認証するための会員情報を管理する会員情報管理サーバは、管理している会員情報と一致する会員情報を入力したコンテンツ実行装置に対して認証情報を付与する。一方、コンテンツ配信サーバからコンテンツ実行装置へのコンテンツの配信を中継する中継サーバは、コンテンツ実行装置に対するコンテンツ配信サービスの利用の許可／不許可を認証するためのコンテンツ認証情報を管理しており、コンテンツ実行装置に付与された認証情報に対応するコンテンツ認証情報を管理している場合に、当該コンテンツ実行装置に対するコンテンツの配信を許諾する。
【０００７】
この構成によれば、コンテンツ配信サービスの提供対象を認証するための複数の情報のうち会員（第三者が提供するサービスの会員のうち、さらに、本出願人が提供するコンテンツ配信サービスの会員となった者）を認証するための会員情報は、第三者が所有する既存の会員情報管理サーバで管理することができる。一方、コンテンツ実行装置に対するコンテンツ配信サービスの利用の許可／不許可を認証するためのコンテンツ認証情報は、会員情報管理サーバとは別個の中継サーバで管理することができる。これにより、第三者が所有する会員情報管理サーバを利用して、２段階の認証処理を経てコンテンツ配信サービスを提供することができ、よりセキュリティの高い管理システムを提供することができる。
【図面の簡単な説明】
【０００８】
【図１】一実施形態に係る管理システムの全体構成を概略的に示す図
【図２】コンテンツ認証情報管理サーバが管理する認証用情報のデータ構造を示す図
【図３】登録された車両用機器ＩＤとユーザＩＤとの関係を示す図
【図４】登録されたユーザＩＤとコンテンツ配信サービスを利用可能な車両用機器の車両用機器ＩＤとの関係を示す図
【図５】コンテンツ認証情報管理サーバが管理する車両用機器情報のデータ構造を示す図
【図６】コンテンツ実行装置を構成する車両用機器及び携帯通信端末の構成を概略的に示す図
【図７】車両用機器及び携帯通信端末が相互に連携してコンテンツを実行する状態を概略的に示す図
【図８】車両用機器及び携帯通信端末が相互に通信可能に接続されコンテンツが実行されるまでの画面の遷移状態を示す図
【図９】会員情報の初期登録処理の内容を示すフローチャート
【図１０】コンテンツ認証情報の登録処理の内容を示すフローチャート
【図１１】管理システムによる認証処理の内容を示すフローチャート
【図１２】コンテンツ配信サーバからコンテンツ実行装置に対してコンテンツが配信されるまでの処理を示すフローチャート
【図１３】管理システムによるアクティベート処理の内容を示すフローチャート
【図１４】管理システムによるユーザＩＤの削除処理の内容を示すフローチャート
【図１５】（ａ）はユーザＩＤの設定画面を示す図、（ｂ）はユーザＩＤの削除画面を示す図
【図１６】コンテンツ認証情報の登録画面を示す図
【発明を実施するための形態】
【０００９】
本発明の一実施形態について図面を参照しながら説明する。図１に示すように、情報管理システム１０は、コンテンツ配信サーバ１１からコンテンツ実行装置１２にコンテンツを配信するコンテンツ配信サービスについて、そのコンテンツ配信サービスの提供対象（コンテンツ配信サービスの利用者、あるいは、コンテンツ配信サービスの利用機器であるコンテンツ実行装置１２）を認証するための情報を管理するシステムであり、会員情報管理サーバ３１と、コンテンツ認証情報管理サーバ３２と、コンテンツアクセスサーバ３３と、を備えて構築されている。なお、会員情報管理サーバ３１は、本出願人以外の第三者が所有する会員情報管理用のサーバであり、コンテンツ認証情報管理サーバ３２及びコンテンツアクセスサーバ３３は、本出願人が所有するコンテンツ配信サービス管理用のサーバである。また、本実施形態は、コンテンツ配信サーバ１１からコンテンツ実行装置１２へのコンテンツの配信を中継する中継サーバが複数のサーバ（この場合、コンテンツ認証情報管理サーバ３２とコンテンツアクセスサーバ３３）で構築された構成である。
【００１０】
コンテンツ配信サーバ１１は、詳しくは後述するようにして認証を得たコンテンツ実行装置１２からコンテンツの配信要求を受けると、そのコンテンツ実行装置１２に対してコンテンツアクセスサーバ３３を介して間接的に、あるいは、コンテンツアクセスサーバ３３を介さず直接的に各種のコンテンツを配信する。コンテンツ配信サーバ１１から配信されるコンテンツとしては、例えば、ストリーミング型のコンテンツとして、音楽を再生する音楽コンテンツ、インターネットラジオを実現するインターネットラジオコンテンツなどが考えられる。また、非ストリーミング型のコンテンツとして、例えば飲食店や観光施設などを検索する施設検索サービスを実現する施設検索コンテンツ、ニュース配信を実現するニュース配信コンテンツ、ソーシャル・ネットワーキング・サービスを実現するＳＮＳサービスコンテンツなどが考えられる。
【００１１】
また、コンテンツ配信サーバ１１は、第１のコンテンツ（例えば、ＳＮＳサービスコンテンツ）を配信する第１のコンテンツ配信サーバ１１１、第２のコンテンツ（例えば、インターネットラジオコンテンツ）を配信する第２のコンテンツ配信サーバ１１２など、配信するコンテンツの種類ごとにそれぞれ別個のコンテンツ配信サーバを有している。
【００１２】
コンテンツ実行装置１２は、この場合、車両に搭載される車両用機器１２１と、この車両用機器１２１と通信可能に接続される携帯通信端末１２２と、で構成されている。車両用機器１２１は、例えばナビゲーション装置で構成される。また、この車両用機器１２１は、当該車両用機器１２１を識別するための車両用機器ＩＤを有している。携帯通信端末１２２は、車両の車室内に持ち込まれると、車両用機器１２１と無線の通信回線を介して通信可能に接続される。なお、無線の通信回線としては、例えばＢｌｕｅｔｏｏｔｈ通信回線（Ｂｌｕｅｔｏｏｔｈ：登録商標）が想定される。これら車両用機器１２１及び携帯通信端末１２２については後述する。
【００１３】
会員情報管理サーバ３１は、当該会員情報管理サーバ３１を所有する第三者が提供するサービス（コンテンツ配信サービスに限らない）の利用を希望するユーザが任意に設定した情報を会員情報として管理するサーバである。この場合、本出願人が提供するコンテンツ配信サービスの利用を希望するユーザは、会員情報として、詳しくは後述する連携アプリケーションを起動する際に使用する連携アプリケーション起動用のユーザＩＤ（以下、「連携アプリ起動用のユーザＩＤ」と称する）及びパスワードを会員情報管理サーバ３１に登録するものとする。なお、会員情報としては、登録された会員を識別できる情報であればユーザＩＤ及びパスワード以外の情報であってもよい。ユーザは、自身が所有する携帯通信端末１２２あるいは図示しないパーソナルコンピュータなどの情報端末を介して専用の会員情報登録サイトにアクセスし、そのサイトを介して会員情報（この場合、連携アプリ起動用のユーザＩＤ及びパスワード）を会員情報管理サーバ３１に登録することができる。この処理（会員情報の初期登録処理）については後述する。
【００１４】
また、この会員情報管理サーバ３１は、当該会員情報管理サーバ３１の動作全般を制御する図示しない制御装置がコンピュータプログラムを実行することにより、認証情報付与手段に相当する認証チケットデータ付与処理部５１をソフトウェアによって仮想的に実現する。
この認証チケットデータ付与処理部５１は、会員情報管理サーバ３１が管理している会員情報と一致する会員情報を入力したコンテンツ実行装置１２、この場合、当該コンテンツ実行装置１２を構成する携帯通信端末１２２に対して、認証情報に相当する認証チケットデータを付与する。なお、この認証チケットデータには、一致した会員情報を示す会員情報データ、当該認証チケットが会員情報管理サーバ３１によって発行されたことを証明する証明書データなど各種のデータを添付することが可能である。
コンテンツ認証情報管理サーバ３２は、当該コンテンツ認証情報管理サーバ３２の動作全般を制御する図示しない制御装置がコンピュータプログラムを実行することにより、コンテンツ認証情報管理手段に相当するコンテンツ認証情報管理処理部３２１をソフトウェアによって仮想的に実現している。
【００１５】
このコンテンツ認証情報管理処理部３２１は、例えば図２に示すように、コンテンツ配信サービスの提供を受けるためにユーザが任意に設定した情報、この場合、連携アプリケーション上でコンテンツを利用（起動）する際に使用するコンテンツ起動用のユーザＩＤ及びパスワード（コンテンツ配信サービスによりコンテンツ配信サーバ１１からコンテンツ実行装置１２に配信されるコンテンツを利用（起動）するために必要な情報）をコンテンツ認証情報として記憶し管理する。なお、コンテンツ認証情報管理サーバ３２には、会員情報管理サーバ３１にて管理されている会員情報のうち少なくともユーザ識別用のユーザＩＤ（連携アプリ起動用のユーザＩＤ）が予め取得されるようになっている。即ち、コンテンツ認証情報管理サーバ３２は、常時あるいは定期的に会員情報管理サーバ３１にアクセスし、当該会員情報管理サーバ３１にて管理されている最新の会員情報（少なくとも連携アプリ起動用のユーザＩＤ）を取得するように設定されている。そして、コンテンツ認証情報管理処理部３２１は、会員情報管理サーバ３１から取得した会員情報のうち連携アプリ起動用のユーザＩＤに対応付けてコンテンツ認証情報を管理する。
【００１６】
ユーザは、自身が所有する携帯通信端末１２２あるいは図示しないパーソナルコンピュータなどの情報端末を介して専用のコンテンツ認証情報登録サイトにアクセスし、そのサイトを介してコンテンツ認証情報（この場合、コンテンツ起動用のユーザＩＤ及びパスワード）をコンテンツ認証情報管理サーバ３２に登録することができる。この処理（コンテンツ認証情報の登録処理）については後述する。
【００１７】
また、コンテンツ認証情報管理サーバ３２は、コンテンツ配信サーバ１１によって認証されたコンテンツ認証情報をコンテンツ認証情報管理処理部３２１により管理する。即ち、コンテンツ配信サーバ１１は、常時あるいは定期的にコンテンツ認証情報管理サーバ３２にアクセスし、当該コンテンツ認証情報管理サーバ３２に登録されているコンテンツ認証情報（コンテンツ認証情報管理処理部３２１によって管理されるコンテンツ認証情報）を認証する。また、この場合、コンテンツ認証情報管理処理部３２１は、複数のコンテンツ配信サーバによって認証された複数のコンテンツ認証情報（コンテンツ配信サービスにより提供される第１のコンテンツを配信する第１のコンテンツ配信サーバ１１１にて認証された第１のコンテンツ認証情報、コンテンツ配信サービスにより提供される第２のコンテンツを配信する第２のコンテンツ配信サーバ１１２にて認証された第２のコンテンツ認証情報、コンテンツ配信サービスにより提供される第３のコンテンツを配信する第３のコンテンツ配信サーバ（図示せず）にて認証された第３のコンテンツ認証情報、・・・）を、認証をしたコンテンツ配信サーバを示す認証コンテンツ配信サーバ識別情報ともに記憶し管理する。
【００１８】
また、コンテンツ認証情報管理サーバ３２（コンテンツ認証情報管理処理部３２１）は、コンテンツ実行装置１２へのコンテンツの配信が開始される場合において、その配信されるコンテンツに対応するコンテンツ認証情報を管理していない場合には、そのコンテンツ実行装置１２に対し、コンテンツ認証情報の登録が必要である旨を通知するためのコンテンツ認証情報未登録通知信号を送信する。このコンテンツ認証情報未登録通知信号を受信したコンテンツ実行装置１２は、この場合、車両用機器１２１の表示出力部２５に、例えば図１６に示す登録画面Ｇｔを表示する。ユーザは、この登録画面Ｇｔに設けられている登録ボタンＢｔを操作することで表示される図示しない情報入力画面を介して、コンテンツ起動用のユーザＩＤなどの情報をコンテンツ認証情報管理サーバ３２に登録（記憶）することができる。なお、コンテンツ実行装置１２は、登録画面Ｇｔを携帯通信端末１２２の表示出力部４５に表示してもよい。
【００１９】
また、コンテンツ認証情報管理サーバ３２（コンテンツ認証情報管理処理部３２１）は、詳しくは後述する配信許諾処理部８３がコンテンツ実行装置１２から初めて取得した認証チケットデータに基づきコンテンツの配信を許諾した場合にも、そのコンテンツ実行装置１２に対しコンテンツ認証情報未登録通知信号を送信する。この場合も、コンテンツ実行装置１２は、登録画面Ｇｔを表示して、ユーザに対してコンテンツ認証情報の登録を促す。
【００２０】
また、このコンテンツ認証情報管理サーバ３２は、当該コンテンツ認証情報管理サーバ３２の動作全般を制御する図示しない制御装置がコンピュータプログラムを実行することにより、登録車両用機器設定処理部６１、ユーザ識別情報管理処理部６２、登録車両用機器設定禁止処理部６３、サービス利用可能化処理部６４、ユーザ識別情報削除処理部６５、サービス利用開始日特定処理部６６、経過期間カウント処理部６７、利用料金算出処理部６８、期間経過通知処理部６９をソフトウェアによって仮想的に実現する。
【００２１】
登録車両用機器設定処理部６１は、コンテンツ実行装置１２において初めて連携アプリケーションが起動されたときに、そのコンテンツ実行装置１２を構成する車両用機器１２１をコンテンツ配信サービスを利用可能な登録車両用機器１２１Ａとして設定する。また、登録車両用機器設定処理部６１は、登録車両用機器１２１Ａとして設定した車両用機器に対してコンテンツ配信サービスが利用可能であることを示す利用可能フラグを設定する。
【００２２】
ユーザ識別情報管理処理部６２は、登録車両用機器１２１Ａとして設定された車両用機器１２１を含むコンテンツ実行装置１２において初めて連携アプリケーションを起動する際に入力された連携アプリ起動用のユーザＩＤ、及び、その後に登録車両用機器１２１Ａを含むコンテンツ実行装置１２において連携アプリケーションを起動する際に入力された連携アプリ起動用の他のユーザＩＤ（登録車両用機器１２１Ａを含むコンテンツ実行装置１２において初めて連携アプリケーションを起動する際に入力されたユーザＩＤとは異なるユーザＩＤ）を、その登録車両用機器１２１Ａに対応付けて管理する。
【００２３】
この場合、ユーザ識別情報管理処理部６２は、図３に示すように、１つの登録車両用機器の車両用機器ＩＤに対して所定数の連携アプリ起動用のユーザＩＤを対応付けて管理する。この所定数は適宜変更して設定することができ、この場合、例えば所定数として「５」が設定されている。よって、この場合、ユーザＩＤ（６）は、車両用機器ＩＤ（１）に対応付けて管理することができず、他の車両用機器のアクティベート処理（詳しくは後述する）によって他の車両用機器ＩＤ（例えば、車両用機器ＩＤ（２））に対応付ければ管理することができる。
【００２４】
登録車両用機器設定禁止処理部６３は、登録車両用機器１２１Ａを含むコンテンツ実行装置１２とは異なるコンテンツ実行装置（登録車両用機器１２１Ａとは異なる車両用機器を含んで構成されたコンテンツ実行装置）において、ユーザ識別情報管理処理部６２が管理している連携アプリ起動用のユーザＩＤが入力されることによって連携アプリケーションが起動された場合には、登録車両用機器設定処理部６１がそのコンテンツ実行装置を構成する車両用機器を登録車両用機器として設定することを禁止する。
【００２５】
サービス利用可能化処理部６４は、コンテンツ実行装置を構成する車両用機器が登録車両用機器として設定されているか否かに関わらず、そのコンテンツ実行装置において、ユーザ識別情報管理処理部６２が管理している連携アプリ起動用のユーザＩＤが入力されることによって連携アプリケーションが起動された場合には、当該コンテンツ実行装置においてコンテンツ配信サービスを利用可能に設定する。即ち、図４に示すように、ある登録車両用機器の車両用機器ＩＤに対応付けられて管理されている連携アプリ起動用のユーザＩＤ（図４の例では車両用機器ＩＤ（１）に対応付けられて管理されているユーザＩＤ（１））が入力されることによって連携アプリケーションが起動された場合には、その連携アプリケーションを起動している車両用機器（この場合、車両用機器ＩＤ（２）の車両用機器）が登録車両用機器として設定されていなくても、その車両用機器を含むコンテンツ実行装置は、コンテンツ配信サービスの提供を受けることが可能である。
【００２６】
ユーザ識別情報削除処理部６５は、ユーザ識別情報管理処理部６２が管理する連携アプリ起動用のユーザＩＤの数が所定数を越えた場合に、そのユーザＩＤを適宜削除する。この所定数は適宜変更して設定することができ、この場合、例えば所定数として「５」が設定されている。また、ユーザ識別情報削除処理部６５は、コンテンツ実行装置１２から送信されるユーザ識別情報削除指令信号に基づいて、ユーザ識別情報管理処理部６２が管理する連携アプリ起動用のユーザＩＤを１つずつ削除することも可能であるし、ユーザ識別情報管理処理部６２が管理する連携アプリ起動用のユーザＩＤを複数個ずつ削除することも可能であるし、ユーザ識別情報管理処理部６２が管理する連携アプリ起動用のユーザＩＤを全て一括して削除することも可能である。
サービス利用開始日特定処理部６６は、登録車両用機器１２１Ａを含むコンテンツ実行装置１２において初めて連携アプリケーションが起動された日をコンテンツ配信サービスの利用開始日として特定する。
【００２７】
経過期間カウント処理部６７は、サービス利用開始日特定処理部６６が特定した利用開始日からの経過期間を、図示しないタイマーによる計時処理に基づいてカウントする。
利用料金算出処理部６８は、経過期間カウント処理部６７がカウントする経過期間が所定期間を越えるまでは、登録車両用機器１２１Ａを含むコンテンツ実行装置１２に課するコンテンツ配信サービスの利用料金を所定の料金体系データに基づいて算出する。なお、所定期間は、例えば日単位、月単位、年単位で適宜変更して設定することができ、この場合、例えば「３年」が設定されている。また、所定の料金体系としては、例えば無料、割引など種々の体系を設定することができ、この場合、例えば「無料」の料金体系が設定されている。即ち、この場合、登録車両用機器１２１Ａを含むコンテンツ実行装置１２には、コンテンツ配信サービスの利用開始日から３年間は無料という料金体系で利用料金が課されるようになる。なお、登録車両用機器１２１Ａを含むコンテンツ実行装置１２は、コンテンツ配信サービスの利用開始日から所定期間経過後においては、有料版の連携アプリケーションを新たにインストールすることで、コンテンツ配信サービスを有料で利用可能である。
【００２８】
期間経過通知処理部６９は、経過期間カウント処理部６７がカウントする経過期間が所定期間を越えた場合に、その旨、つまり、コンテンツ配信サービスの利用開始日から所定期間が経過した旨を示す期間経過通知データをコンテンツ実行装置１２に通知する。この場合、期間経過通知処理部６９は、コンテンツ実行装置１２を構成する携帯通信端末１２２については、経過期間が所定期間を越えた後に初めて当該携帯通信端末１２２において連携アプリケーションが起動されたときにのみ期間経過通知データを当該携帯通信端末１２２に通知する。これにより、携帯通信端末１２２においては、コンテンツ配信サービスの利用開始日からの経過期間が所定期間を越えた後に初めて当該携帯通信端末１２２において連携アプリケーションが起動されたときにのみ、期間経過通知データに基づく表示出力がなされるようになる。
【００２９】
また、期間経過通知処理部６９は、車両用機器１２１については、経過期間が所定期間を越えた後に当該車両用機器１２１において連携アプリケーションが起動されるごとに期間経過通知データを当該車両用機器１２１に通知する。これにより、車両用機器１２１においては、コンテンツ配信サービスの利用開始日からの経過期間が所定期間を越えた後に当該車両用機器１２１において連携アプリケーションが起動されるごとに、期間経過通知データに基づく表示出力がなされるようになる。
【００３０】
図５は、上記のように構成されたコンテンツ認証情報管理サーバ３２に構築される車両用機器情報のデータ構造の一例を示している。即ち、コンテンツ認証情報管理サーバ３２は、登録車両用機器１２１Ａとして設定された車両用機器の車両用機器ＩＤに対応付けて、コンテンツ配信サービスの利用開始日（アクティベート日）、利用期限日、利用可能フラグの有無、当該登録車両用機器１２１Ａに対応付けて登録した連携アプリ起動用のユーザＩＤ、当該ユーザＩＤに対応付けて登録したコンテンツ認証情報（コンテンツ起動用のユーザＩＤ及びパスワード）などの各種の情報を管理する。
【００３１】
コンテンツアクセスサーバ３３は、コンテンツ実行装置１２とコンテンツ配信サーバ１１との間のデータ通信を中継する中継サーバとして機能することで、詳しくは後述するようにして認証を得たコンテンツ実行装置１２へのコンテンツ配信サービスの提供を実行するサーバである。
【００３２】
また、このコンテンツアクセスサーバ３３は、当該コンテンツアクセスサーバ３３の動作全般を制御する図示しない制御装置がコンピュータプログラムを実行することにより、認証情報取得手段に相当する認証チケットデータ取得処理部８１、コンテンツ認証情報確認処理部８２、配信許諾手段に相当する配信許諾処理部８３をソフトウェアによって仮想的に実現する。
認証チケットデータ取得処理部８１は、会員情報管理サーバ３１が認証チケットデータ付与処理部５１によって携帯通信端末１２２に付与した認証チケットデータと同一の認証チケットデータを会員情報管理サーバ３１から取得する。
【００３３】
コンテンツ認証情報確認処理部８２は、コンテンツ実行装置１２を構成する携帯通信端末１２２に付与された認証チケットデータと認証チケットデータ取得処理部８１が取得した認証チケットデータとが一致するか否かを判定する。そして、コンテンツ認証情報確認処理部８２は、両認証チケットデータが一致する場合には、その認証チケットデータ（換言すれば、コンテンツ実行装置１２に入力された会員情報）に対応付けて管理されているコンテンツ認証情報（この場合、会員情報のうち連携アプリ起動用のユーザＩＤに対応付けられて管理されているコンテンツ起動用のユーザＩＤ及びパスワード）がコンテンツ認証情報管理サーバ３２に存在するか否か（コンテンツ認証情報管理処理部３２１によって管理されているか否か）を確認する。このとき、コンテンツ認証情報確認処理部８２は、存在が確認されたコンテンツ認証情報については、そのコンテンツ認証情報がどのコンテンツ配信サーバによって認証されたコンテンツ認証情報であるのかを認証コンテンツ配信サーバ識別情報に基づいて確認する。
【００３４】
配信許諾処理部８３は、コンテンツ実行装置１２から取得した認証チケットデータの認証結果に基づいて、コンテンツ配信サーバ１１からコンテンツ実行装置１２へのコンテンツの配信を許諾する処理部であり、具体的には、コンテンツ実行装置１２に入力された会員情報（当該会員情報に対応してコンテンツ実行装置１２に付与された認証チケットデータ）に対応付けて管理されているコンテンツ認証情報の存在がコンテンツ認証情報確認処理部８２による確認処理によって確認された場合に、そのコンテンツ実行装置１２に対するコンテンツの配信を許諾（コンテンツ配信サービスの提供を許可）する。即ち、この配信許諾処理部８３による許可が得られることをもって、コンテンツ実行装置１２は、コンテンツ配信サービスを利用可能なコンテンツ実行装置として認証されるのである。
【００３５】
また、配信許諾処理部８３は、この場合、コンテンツ認証情報管理処理部３２１がコンテンツ配信サービスにより提供される第１のコンテンツに対応するコンテンツ認証情報を管理している場合には、その第１のコンテンツを配信する第１のコンテンツ配信サーバ１１１からコンテンツ実行装置１２への第１のコンテンツの配信を許諾し、コンテンツ認証情報管理処理部３２１がコンテンツ配信サービスにより提供される第２のコンテンツに対応するコンテンツ認証情報を管理している場合には、その第２のコンテンツを配信する第２のコンテンツ配信サーバ１１２からコンテンツ実行装置１２への第２のコンテンツの配信を許諾する。即ち、配信許諾処理部８３は、コンテンツ配信サーバ１１に含まれる複数のコンテンツ配信サーバからの各コンテンツの配信を一括して許諾するのではなく、各コンテンツ配信サーバからの各コンテンツの配信をそれぞれ独立して許諾するように構成されている。なお、コンテンツ配信サーバ１１に含まれる複数のコンテンツ配信サーバからの各コンテンツの配信を一括して許諾するように構成してもよい。
【００３６】
次に、コンテンツ実行装置１２を構成する車両用機器１２１及び携帯通信端末１２２の構成について図６を参照しながら説明する。
車両用機器１２１は、制御部２１、無線通信モジュール２２、記憶部２３、音声処理部２４、表示出力部２５、操作入力部２６、信号入力部２７、位置取得部２８などを備えている。制御部２１は、図示しないＣＰＵ、ＲＡＭ、ＲＯＭ及びＩ／Ｏバスなどを有する周知のマイクロコンピュータで構成されている。制御部２１は、ＲＯＭあるいは記憶部２３などに記憶されているコンピュータプログラムに従って車両用機器１２１の動作全般を制御する。
【００３７】
無線通信モジュール２２は、携帯通信端末１２２が備える無線通信モジュール４２との間に無線の通信回線を確立し、その通信回線を通じて携帯通信端末１２２との間で各種の通信を行う。記憶部２３は、例えばハードディスクドライブなどの不揮発性の記憶媒体で構成されており、各種のコンピュータプログラムやコンテンツプログラム、外部の装置と相互に連携してコンテンツを実行する連携機能を実現する連携アプリケーション、この連携アプリケーションを実行するためのオペレーティングシステムとしての機能を実現する専用プレーヤ（アプリケーション）などの各種のプログラム、及び、各プログラムで使用されるデータなどを記憶している。車両用機器１２１は、連携アプリケーション及び専用プレーヤを単独で搭載していることにより、連携アプリケーション上で実行可能な各種のコンテンツを車両用機器１２１単独で実行することも可能である。
【００３８】
音声処理部２４は、図示しないマイクロホン及びスピーカに接続しており、周知の音声入力機能及び音声出力機能を備える。また、この音声処理部２４は、マイクロホンから入力された音声に基づいて車両用機器１２１の操作などの指示を制御部２１に出力する一方、制御部２１や無線通信モジュール２２などからの指示に基づいてスピーカから音声を出力することで、いわゆるハンズフリー機能を実現可能である。
【００３９】
表示出力部２５は、例えば液晶表示器や有機ＥＬで構成されており、制御部２１からの表示指令信号に基づいて各種の情報を表示する。この表示出力部２５の画面には、周知の感圧方式、電磁誘導方式、静電容量方式あるいはそれらを組み合わせた方式で構成されるタッチパネルスイッチが設けられる。この表示出力部２５には、コンテンツに対する操作を入力するための操作入力画面（入力インターフェース）、コンテンツの実行内容を出力するための出力画面（出力インターフェース）、例えば図８（ａ）に示す経路案内用の画面Ｎなどの各種画面が表示される。
【００４０】
操作入力部２６は、表示出力部２５の画面上に設けられるタッチパネルスイッチ、及び、表示出力部２５の周囲に設けられているメカニカルスイッチなど各種のスイッチ類を含む。操作入力部２６は、使用者による各種のスイッチの操作に応じて操作検知信号を制御部２１に出力する。制御部２１は、操作入力部２６から入力された操作検知信号を解析して使用者の操作内容を特定し、特定した操作内容に基づいて各種の処理を実行する。
【００４１】
信号入力部２７は、車両に搭載されている図示しないＡＣＣスイッチ（アクセサリスイッチ）に接続しており、ＡＣＣスイッチから出力されたＡＣＣ信号を制御部２１へ入力する。制御部２１は、入力されたＡＣＣ信号のオンオフに基づいて図示しない電源回路のオンオフを制御する。即ち、制御部２１は、ＡＣＣ信号がオフからオンに遷移したタイミングで電源回路をオンする。また、制御部２１は、ＡＣＣ信号がオンからオフに遷移したタイミングで電源回路をオフする。
【００４２】
位置取得部２８は、図示しない周知の地磁気センサ、ジャイロスコープ、車速センサ、ＧＰＳ受信機などの各種のセンサ類を備えている。位置取得部２８は、これらセンサ類から入力される検出信号を互いに補完することにより車両の位置情報を取得する。位置取得部２８は、取得した車両の位置情報を制御部２１に出力する。制御部２１は、位置取得部２８で取得した車両の位置情報及び図示しない経路探索部により探索された案内経路などに基づいて、いわゆるナビゲーション処理を実行する。
【００４３】
次に、携帯通信端末１２２の構成について説明する。携帯通信端末１２２は、制御部４１、無線通信モジュール４２、記憶部４３、音声処理部４４、表示出力部４５、操作入力部４６、電話通信部４７などを備えている。制御部４１は、図示しないＣＰＵ、ＲＡＭ、ＲＯＭ及びＩ／Ｏバスなどを有する周知のマイクロコンピュータで構成されている。制御部４１は、ＲＯＭあるいは記憶部４３などに記憶されているコンピュータプログラムに従って携帯通信端末１２２の動作全般を制御する。
【００４４】
無線通信モジュール４２は、車両用機器１２１が備える無線通信モジュール２２との間に無線の通信回線を確立し、その通信回線を通じて車両用機器１２１との間で各種の通信を行う。記憶部４３は、例えばメモリカードなどの不揮発性の記憶媒体で構成されており、各種のコンピュータプログラムやコンテンツプログラム、外部の装置と相互に連携してコンテンツを実行する連携機能を実現する連携アプリケーション、この連携アプリケーションを実行するためのオペレーティングシステムとしての機能を実現する専用プレーヤ（アプリケーション）などの各種のプログラム、及び、各プログラムで使用されるデータなどを記憶している。携帯通信端末１２２は、連携アプリケーション及び専用プレーヤを単独で搭載していることにより、連携アプリケーション上で実行可能な各種のコンテンツを携帯通信端末１２２単独で実行することも可能である。
【００４５】
音声処理部４４は、図示しないマイクロホン及びスピーカに接続しており、周知の音声入力機能及び音声出力機能を備える。また、この音声処理部４４は、マイクロホンから入力された発話音声を制御部４１に出力する一方、制御部４１から入力される受話音声をスピーカから出力することで、いわゆる通話機能を実現する。また、この音声処理部４４は、マイクロホンから入力された音声に基づいて携帯通信端末１２２の操作などの指示を制御部４１に出力する一方、制御部４１や無線通信モジュール４２などからの指示に基づいてスピーカから音声を出力することで、いわゆるハンズフリー機能を実現可能である。
【００４６】
表示出力部４５は、例えば液晶表示器や有機ＥＬ表示器で構成されており、制御部４１からの表示指令信号に基づいて各種の情報を表示する。この表示出力部４５の画面には、周知の感圧方式、電磁誘導方式、静電容量方式あるいはそれらを組み合わせた方式で構成されるタッチパネルスイッチが設けられる。この表示出力部４５には、例えば図８（ａ）に示す通常のメニュー画面Ｇなどの各種画面が表示される。
【００４７】
操作入力部４６は、表示出力部４５の画面上に設けられるタッチパネルスイッチ、及び、表示出力部４５の周囲に設けられているメカニカルスイッチなど各種のスイッチ類を含む。操作入力部４６は、使用者による各種のスイッチの操作に応じて操作検知信号を制御部４１に出力する。制御部４１は、操作入力部４６から入力された操作検知信号を解析して使用者の操作内容を特定し、特定した操作内容に基づいて各種の処理を実行する。
【００４８】
電話通信部４７は、通信網１００との間に無線の通信回線を確立し、この通信回線を介して電話通信を実行する。この場合、通信網１００は、図示しない携帯電話基地局や基地局制御装置などの周知の公衆回線網を使用する携帯電話通信サービスを提供する設備を含む。また、制御部４１は、この電話通信部４７を介して通信網１００に接続し、コンテンツ配信サーバ１１との間でコンテンツアクセスサーバ３３を介して間接的に、あるいは、コンテンツアクセスサーバ３３を介することなく直接的に各種のデータ通信を実行可能である。
【００４９】
上述した車両用機器１２１及び携帯通信端末１２２は、相互に通信可能に接続されて車両用通信システムを構築した場合に、これら車両用機器１２１及び携帯通信端末１２２がそれぞれ備える連携アプリケーションを起動することにより、携帯通信端末１２２がコンテンツ配信サーバ１１から取得した各種のコンテンツを相互に連携して実行することができる。次に、これら車両用機器１２１及び携帯通信端末１２２が相互に連携してコンテンツを実行する場合の動作について説明する。
【００５０】
即ち、図７に示すように、車両用機器１２１に携帯通信端末１２２が通信可能に接続されて、これら車両用機器１２１及び携帯通信端末１２２にてそれぞれ連携アプリケーションが起動されると、携帯通信端末１２２が有するコンテンツプログラムの実行処理は当該携帯通信端末１２２にて実行され、このコンテンツの入力インターフェース（入力画面）及び出力インターフェース（出力画面）は車両用機器１２１にて提供される状態となる。
【００５１】
また、車両用機器１２１及び携帯通信端末１２２にてそれぞれ連携アプリケーションが起動された状態では、携帯通信端末１２２は、コンテンツプログラムの実行主体として機能するほか、車両用機器１２１とコンテンツアクセスサーバ３３との間の通信媒体としても機能する。よって、連携アプリケーションが起動された状態でコンテンツを実行する場合には、携帯通信端末１２２は、そのコンテンツに係る各種のデータを車両用機器１２１とコンテンツアクセスサーバ３３との間で伝達する機能も担う。
【００５２】
次に、車両用機器１２１及び携帯通信端末１２２が相互に通信可能に接続され連携アプリケーション上でコンテンツ、この場合、音楽コンテンツが実行されるまでの画面の遷移状態について説明する。
即ち、携帯通信端末１２２が通信可能に接続された車両用機器１２１は、使用者による操作に応じて当該車両用機器１２１が備える連携アプリケーションが起動されると、車両用機器１２１の画面を図８（ｂ）に示す連携アプリケーションのメニュー画面Ｍに遷移させる。このメニュー画面Ｍには、音楽コンテンツを起動するための起動ボタンＢａなど、各種コンテンツを起動するための起動ボタンが設けられている。一方、車両用機器１２１に通信可能に接続された携帯通信端末１２２は、使用者による操作に応じて当該携帯通信端末１２２が備える連携アプリケーションが起動されると、図示しない連携アプリケーションのメニュー画面を表示する。ここで、車両用機器１２１及び携帯通信端末１２２の双方においてそれぞれ連携アプリケーションのメニュー画面が表示された状態では、使用者は、何れのメニュー画面からも起動ボタンを操作することで各種のコンテンツを起動することができる。そして、車両用機器１２１及び携帯通信端末１２２の何れかからコンテンツが起動されると、携帯通信端末１２２は、図８（ｂ）に示すロック画面Ｒを表示する。このロック画面Ｒを表示することにより、携帯通信端末１２２からの全てのコンテンツの利用（操作）が禁止される。なお、このとき、携帯通信端末１２２では、連携アプリケーションが起動したままの状態であり、外部の装置や端末から入力されるコンテンツ実行指令信号に基づいてコンテンツが実行されるようになっている。
【００５３】
車両用機器１２１は、使用者による起動ボタンＢａの操作に応じて当該車両用機器１２１にて音楽コンテンツが起動されると、当該音楽コンテンツの実行指令信号を携帯通信端末１２２に送信する。これにより、携帯通信端末１２２にて音楽コンテンツが実行され、車両用機器１２１は、携帯通信端末１２２から受信する音楽コンテンツの出力データに基づいて、図８（ｃ）に示す音楽コンテンツの実行画面ＭＰを表示しながら音楽を再生する。
【００５４】
次に、本実施形態の管理システム１０の動作についてフローチャートを参照しながら説明する。なお、以下の説明において、「コンテンツ実行装置１２」にて実行される処理は、実際は車両用機器１２１の制御部２１単体、携帯通信端末１２２の制御部４１単体、あるいは、これら制御部２１及び制御部４１が協働して実行する処理である。また、各サーバにて実行される処理は、これらサーバの動作全般をそれぞれ制御する図示しない制御装置が実行する処理である。
【００５５】
（会員情報の初期登録処理）
ここでは、ユーザが携帯通信端末１２２を介して会員情報を初期登録する場合について説明する。即ち、連携アプリケーションを搭載した携帯通信端末１２２の表示出力部４５には図示しない初期登録ボタンが設けられる。そして、図９に示すように、携帯通信端末１２２（コンテンツ実行装置１２）は、初期登録ボタンが操作されると（ステップａ１）、会員情報管理サーバ３１に設けられている会員情報登録サイトにアクセスする（ステップａ２）。これに応じて、会員情報管理サーバ３１は、携帯通信端末１２２の表示出力部４５に図示しない会員情報入力画面を表示（出力）する（ステップｂ１）。この入力画面には、会員情報を入力するための入力部のほか、その他の情報を入力するための種々の入力部を設けることが可能である。
【００５６】
携帯通信端末１２２は、会員情報入力画面に入力された会員情報を会員情報管理サーバ３１に送信する（ステップａ３）。そして、会員情報管理サーバ３１は、受信した会員情報を図示しない記憶媒体に登録（記憶）し管理する（ステップｂ２）。また、会員情報管理サーバ３１は、会員情報を登録すると登録完了通知を携帯通信端末１２２に送信する（ステップｂ３）。そして、携帯通信端末１２２は、登録完了通知を受信すると、会員情報登録サイトへのアクセスを終了して（ステップａ４）、この初期登録処理を完了する。なお、この初期登録処理は、ユーザが携帯通信端末１２２以外の機器（例えば、車両用機器１２１や図示しないパーソナルコンピュータなど）を介して実行してもよい。
【００５７】
（コンテンツ認証情報の登録処理）
ここでは、ユーザが携帯通信端末１２２を介してコンテンツ認証情報を登録する場合について説明する。即ち、連携アプリケーションを搭載した携帯通信端末１２２の表示出力部４５には図示しないコンテンツ認証情報登録ボタンが設けられる。そして、図１０に示すように、携帯通信端末１２２（コンテンツ実行装置１２）は、コンテンツ認証情報登録ボタンが操作されると（ステップｃ１）、コンテンツ認証情報管理サーバ３２に設けられているコンテンツ認証情報登録サイトにアクセスする（ステップｃ２）。これに応じて、コンテンツ認証情報管理サーバ３２は、携帯通信端末１２２の表示出力部４５に図示しないコンテンツ認証情報入力画面を表示（出力）する（ステップｄ１）。この入力画面には、コンテンツ認証情報を入力するための入力部のほか、その他の情報（会員情報など）を入力するための種々の入力部を設けることが可能である。
【００５８】
携帯通信端末１２２は、コンテンツ認証情報入力画面に入力されたコンテンツ認証情報などの種々の情報をコンテンツ認証情報管理サーバ３２に送信する（ステップｃ３）。そして、コンテンツ認証情報管理サーバ３２は、受信したコンテンツ認証情報を会員情報に対応付けて図示しない記憶媒体に登録（記憶）し管理する（ステップｄ２）。また、コンテンツ認証情報管理サーバ３２は、コンテンツ認証情報を登録すると登録完了通知を携帯通信端末１２２に送信する（ステップｄ３）。そして、携帯通信端末１２２は、登録完了通知を受信すると、コンテンツ認証情報登録サイトへのアクセスを終了して（ステップｃ４）、この登録処理を完了する。なお、このコンテンツ認証情報の登録処理は、ユーザが携帯通信端末１２２以外の機器（例えば、車両用機器１２１や図示しないパーソナルコンピュータなど）を介して実行してもよい。
【００５９】
（管理システムによる認証処理）
図１１に示すように、この管理システムによる認証処理では、まず、コンテンツ実行装置１２は、当該コンテンツ実行装置１２にて連携アプリケーションの起動ボタンが操作されると（ステップＡ１：ＹＥＳ）、その起動の際に入力された会員情報を示す会員情報データを会員情報管理サーバ３１に送信する（ステップＡ２）。なお、この認証処理においては、コンテンツ実行装置１２は、車両用機器１２１と携帯通信端末１２２とが相互に通信可能に接続されていなくてもよく、例えば携帯通信端末１２２単体の状態であってもよい。以下、このコンテンツ実行装置１２に代えて携帯通信端末１２２を主体として動作を説明する。
【００６０】
会員情報管理サーバ３１は、携帯通信端末１２２から受信した会員情報データに基づいて、会員情報管理サーバ３１が管理している会員情報に、携帯通信端末１２２が入力した会員情報と一致する会員情報が存在するか否かを確認する（ステップＢ１）。そして、会員情報管理サーバ３１は、一致する会員情報が存在する場合には（ステップＢ１：ＹＥＳ）、その携帯通信端末１２２に認証チケットデータを送信する（ステップＢ２）。会員情報管理サーバ３１から認証チケットデータを受信した携帯通信端末１２２は、その認証チケットデータをコンテンツアクセスサーバ３３に送信する（ステップＡ３）。なお、このとき、認証チケットデータには、後続の認証に必要な種々の情報（例えば、連携アプリケーションの起動の際に入力された会員情報など）が添付される。
【００６１】
コンテンツアクセスサーバ３３は、会員情報管理サーバ３１が認証チケットデータ付与処理部５１によって携帯通信端末１２２に付与した認証チケットデータを会員情報管理サーバ３１から取得している（ステップＣ１）。そして、コンテンツアクセスサーバ３３は、携帯通信端末１２２から認証チケットデータを受信すると、その認証チケットデータ、つまり、携帯通信端末１２２に付与された認証チケットデータと会員情報管理サーバ３１から取得した認証チケットデータとが一致するか否かを判定する（ステップＣ２）。そして、コンテンツアクセスサーバ３３は、両認証チケットデータが一致する場合には（ステップＣ２：ＹＥＳ）、コンテンツ認証情報問合せ信号をコンテンツ認証情報管理サーバ３２に送信する（ステップＣ３）。このコンテンツ認証情報問合せ信号は、携帯通信端末１２２にて連携アプリケーションの起動時に入力された会員情報（連携アプリ起動用のユーザＩＤ）、換言すれば、当該会員情報に対応してコンテンツ実行装置１２に付与された認証チケットデータに対応付けて管理されているコンテンツ認証情報が、コンテンツ認証情報管理サーバ３２に存在するか否かを問い合わせるための信号である。これにより、コンテンツアクセスサーバ３３は、コンテンツ実行装置１２に付与された認証チケットデータに対応するコンテンツ認証情報がコンテンツ認証情報管理処理部３２１によって管理されているか否かを、コンテンツ認証情報管理サーバ３２に問い合わせる。
【００６２】
なお、このコンテンツ認証情報問合せ信号には、認証チケットデータや、当該認証チケットデータに添付されている会員情報データなどが添付される。コンテンツ認証情報管理サーバ３２は、コンテンツ認証情報問合せ信号を受信すると、その認証チケットデータに添付されている会員情報データが示す会員情報、つまり、携帯通信端末１２２にて連携アプリケーションの起動時に入力された会員情報（連携アプリ起動用のユーザＩＤ）に対応するコンテンツ認証情報が、管理しているコンテンツ認証情報のなかに存在するか否かを確認する（ステップＤ１）。そして、コンテンツ認証情報管理サーバ３２は、該当するコンテンツ認証情報が存在する場合には（ステップＤ１：ＹＥＳ）、その旨を示すコンテンツ認証情報存在確認データをコンテンツアクセスサーバ３３に送信する（ステップＤ２）。
【００６３】
コンテンツアクセスサーバ３３は、コンテンツ認証情報管理サーバ３２からコンテンツ認証情報存在確認データを受信した場合には、つまり、携帯通信端末１２２にて連携アプリケーションの起動時に入力された会員情報に対応付けて管理されているコンテンツ認証情報がコンテンツ認証情報管理サーバ３２に存在することが確認された場合には、その携帯通信端末１２２を介して、詳しくは後述するコンテンツ配信サービスの利用可能化処理を実行した車両用機器１２１を含むコンテンツ実行装置１２に対するコンテンツ配信サービスの提供を許可（許諾）する（ステップＣ４）。なお、コンテンツアクセスサーバ３３は、コンテンツ認証情報管理サーバ３２からコンテンツ認証情報存在確認データを受信しない場合には、つまり、携帯通信端末１２２にて連携アプリケーションの起動時に入力された会員情報に対応付けて管理されているコンテンツ認証情報がコンテンツ認証情報管理サーバ３２に存在することが確認されない場合には、コンテンツ配信サービスの提供を許諾しない。
【００６４】
次に、コンテンツアクセスサーバ３３がコンテンツ実行装置１２に対するコンテンツ配信サービスの提供を許可した後において、実際にコンテンツ配信サーバ１１からコンテンツ実行装置１２に対してコンテンツが配信されるまでの処理について説明する。即ち、管理システムによる認証処理が終了した後において、コンテンツ実行装置１２にて連携アプリケーション上でコンテンツの起動画面が表示されると、図１２に示すように、コンテンツ実行装置１２は、その起動の際に入力されたコンテンツ起動用のユーザＩＤ及びパスワード（コンテンツ認証情報）をコンテンツアクセスサーバ３３に送信する（ステップＡ４）。なお、各コンテンツの起動画面は、連携アプリケーションとともに予めコンテンツ実行装置１２（少なくとも車両用機器１２１及び携帯通信端末１２２の何れか）に備えられているものとする。また、車両用機器１２１及び携帯通信端末１２２は、連携アプリケーションを搭載した後において、各コンテンツの起動画面を追加したり削除したりすることが可能である。
【００６５】
コンテンツアクセスサーバ３３は、受信したコンテンツ認証情報（コンテンツ起動用のユーザＩＤ及びパスワード）をコンテンツ配信サーバ１１に送信する（ステップＣ５）。即ち、コンテンツアクセスサーバ３３は、コンテンツ実行装置１２からのコンテンツ認証情報をコンテンツ配信サーバ１１に中継する。
【００６６】
コンテンツ配信サーバ１１は、それぞれコンテンツ認証情報を受信すると、そのコンテンツ認証情報が、自身が認証したコンテンツ認証情報と一致するか否かを判断する（ステップＥ１）。コンテンツ配信サーバ１１は、コンテンツ認証情報が一致しない場合（ステップＥ２：ＮＯ）には、コンテンツ配信サービスの利用が許可されなかったこと（不許可であること）を示す不許可信号を、コンテンツアクセスサーバ３３を介してコンテンツ実行装置１２に送信する（ステップＥ２，Ｃ６）。コンテンツ実行装置１２は、不許可信号を受信すると（ステップＡ５：ＹＥＳ）、コンテンツ配信サービスの利用が不許可である旨の表示を出力して（ステップＡ６）、この処理を終了する。この場合、コンテンツ実行装置１２は、コンテンツ配信サーバ１１からコンテンツ配信サービスの提供を受けることができない。
【００６７】
一方、コンテンツ配信サーバ１１は、コンテンツ認証情報が一致する場合（ステップＥ２：ＹＥＳ）には、コンテンツ配信サービスの利用が許可されたことを示す許可信号を、コンテンツアクセスサーバ３３を介してコンテンツ実行装置１２に送信する（ステップＥ３，Ｃ６）。コンテンツ実行装置１２は、許可信号を受信すると（ステップＡ７：ＹＥＳ）、コンテンツ配信サービスの利用が許可されたことを通知する認証完了通知をコンテンツアクセスサーバ３３に送信する（ステップＡ８）。コンテンツアクセスサーバ３３は、認証完了通知を受信すると、コンテンツ配信サーバ１１にアクセストークンの発行を依頼する（ステップＣ７）。
【００６８】
コンテンツ配信サーバ１１は、コンテンツアクセスサーバ３３からのアクセストークンの発行依頼に応じて、アクセストークンを発行する（ステップＥ４）。そして、コンテンツ配信サーバ１１は、発行したアクセストークンをコンテンツアクセスサーバ３３に送信する（ステップＥ５）。コンテンツアクセスサーバ３３は、アクセストークンを取得すると、コンテンツ配信サーバ１１とコンテンツ実行装置１２との連携設定を完了する（ステップＣ８）。そして、コンテンツアクセスサーバ３３は、この連携設定が構築されたコンテンツ配信サーバ１１とコンテンツ実行装置１２との間で、コンテンツ実行装置１２からの要求に応じて、コンテンツ配信サーバ１１から当該コンテンツ実行装置１２へのコンテンツ（コンテンツの実体部）の配信中継（ステップＡ９，Ｅ６）を開始する（ステップＣ９）。
【００６９】
（管理システムによるコンテンツ配信サービスの利用可能化処理：アクティベート処理）
図１３に示すように、このアクティベート処理では、上記の認証処理によってコンテンツ配信サービスの提供が許可されたコンテンツ実行装置１２は、当該コンテンツ実行装置１２において初めて連携アプリケーションが起動されたときに当該コンテンツ実行装置１２を構成している車両用機器１２１の車両用機器ＩＤを携帯通信端末１２２及びコンテンツアクセスサーバ３３を経由してコンテンツ認証情報管理サーバ３２に送信する（ステップＰ１）。また、コンテンツ実行装置１２は、当該コンテンツ実行装置１２において初めて連携アプリケーションが起動された際に入力された連携アプリ起動用のユーザＩＤを携帯通信端末１２２及びコンテンツアクセスサーバ３３を経由してコンテンツ認証情報管理サーバ３２に送信する（ステップＰ２）。一方、コンテンツ認証情報管理サーバ３２は、コンテンツ実行装置１２から受信した車両用機器ＩＤによって特定される車両用機器１２１を、コンテンツ配信サービスを利用可能な登録車両用機器１２１Ａとして設定して管理する（ステップＱ１）。また、コンテンツ認証情報管理サーバ３２は、コンテンツ実行装置１２から受信した連携アプリ起動用のユーザＩＤを、その登録車両用機器１２１Ａに対応付けて管理する（ステップＱ２）。
【００７０】
また、コンテンツ実行装置１２は、登録車両用機器１２１Ａを含むコンテンツ実行装置１２において初めて連携アプリケーションが起動された後、つまり、登録車両用機器１２１Ａを含むコンテンツ実行装置１２における２回目以降の連携アプリケーションの起動の際に、既にコンテンツ認証情報管理サーバ３２に送信して登録したユーザＩＤとは異なる連携アプリ起動用のユーザＩＤが入力された場合には、そのユーザＩＤを携帯通信端末１２２及びコンテンツアクセスサーバ３３を経由してコンテンツ認証情報管理サーバ３２に送信する（ステップＰ３）。一方、コンテンツ認証情報管理サーバ３２は、コンテンツ実行装置１２から受信したユーザＩＤが既に登録したユーザＩＤと異なる場合には、そのユーザＩＤを登録車両用機器１２１Ａに対応付けて管理する（ステップＱ３）。なお、コンテンツ認証情報管理サーバ３２は、１つの登録車両用機器１２１Ａに対して複数、この場合、５つのユーザＩＤを対応付けて管理することが可能に設定されている。そして、コンテンツ認証情報管理サーバ３２は、そのコンテンツ実行装置１２に対してコンテンツ配信サービスを利用可能に設定する（ステップＱ４）。
【００７１】
そして、コンテンツ認証情報管理サーバ３２は、登録車両用機器１２１Ａを含むコンテンツ実行装置１２において初めて連携アプリケーションが起動された日、つまり、登録車両用機器１２１Ａを含むコンテンツ実行装置１２から受信した車両用機器ＩＤ及び連携アプリ起動用のユーザＩＤの管理を開始した日をコンテンツ配信サービスの利用開始日として特定する（ステップＱ５）。そして、コンテンツ認証情報管理サーバ３２は、特定した利用開始日からの経過期間のカウントを開始する（ステップＱ６）。
【００７２】
そして、コンテンツ認証情報管理サーバ３２は、カウントする経過期間が所定期間を越えたか否かを監視する（ステップＱ７）。コンテンツ認証情報管理サーバ３２は、カウントする経過期間が所定期間を越えるまでは（ステップＱ７：ＮＯ）、登録車両用機器１２１Ａを含むコンテンツ実行装置１２に課するコンテンツ配信サービスの利用料金、つまり、登録車両用機器１２１Ａに対応付けてユーザＩＤが管理されているユーザによるコンテンツ配信サービスの利用料金を所定の料金体系に基づいて算出する（ステップＱ８）。また、コンテンツ認証情報管理サーバ３２は、カウントする経過期間が所定期間を越えた場合には（ステップＱ７：ＹＥＳ）、期間経過通知データをコンテンツ実行装置１２に通知する（ステップＱ９）。
【００７３】
なお、コンテンツ認証情報管理サーバ３２は、登録車両用機器１２１Ａを含むコンテンツ実行装置１２とは異なるコンテンツ実行装置１２´（登録車両用機器１２１Ａとは異なる車両用機器を含んで構成されたコンテンツ実行装置）から車両用機器ＩＤ（ステップＰ１´参照）を受信した場合であって、そのコンテンツ実行装置１２´から受信する連携アプリ起動用のユーザＩＤが既に管理しているユーザＩＤである場合、つまり、既に管理している連携アプリ起動用のユーザＩＤが入力されることによってコンテンツ実行装置１２´において連携アプリケーションが起動された場合には、そのコンテンツ実行装置１２´を構成する車両用機器を登録車両用機器として設定しないようになっている（ステップＱ１０）。但し、コンテンツ認証情報管理サーバ３２は、コンテンツ実行装置１２´から受信した連携アプリ起動用のユーザＩＤが既に管理しているユーザＩＤに一致する場合には、そのコンテンツ実行装置１２´に対してコンテンツ配信サービスを利用可能に設定する（ステップＱ１１）。
【００７４】
（ユーザＩＤの削除処理）
上記構成の管理システム１０では、コンテンツ認証情報管理サーバ３２にて管理する連携アプリ起動用のユーザＩＤをコンテンツ実行装置１２からの削除要求に応じて削除することができる。次に、このユーザＩＤの削除処理について説明する。なお、ここでは、携帯通信端末１２２からの操作に基づいてユーザＩＤを削除する場合を説明する。
即ち、図１４に示すように、携帯通信端末１２２は、ユーザ操作に応じて図示しない連携アプリケーションのメニュー画面から図１５（ａ）に示すユーザＩＤの設定画面Ｇ１に遷移すると（ステップＳ１）、連携アプリケーションの起動時に入力された連携アプリ起動用のユーザＩＤをコンテンツ認証情報管理サーバ３２に送信する（ステップＳ２）。一方、コンテンツ認証情報管理サーバ３２は、携帯通信端末１２２から受信した連携アプリ起動用のユーザＩＤが対応付けられている車両用機器ＩＤを抽出するとともに（ステップＴ１）、その車両用機器ＩＤに対応付けて管理されている全ての連携アプリ起動用のユーザＩＤを抽出する（ステップＴ２）。そして、コンテンツ認証情報管理サーバ３２は、抽出した車両用機器ＩＤ及び連携アプリ起動用のユーザＩＤを携帯通信端末１２２に送信する（ステップＴ３）。
【００７５】
携帯通信端末１２２は、ユーザＩＤの設定画面Ｇ１にて「登録済みユーザＩＤの確認および削除」ボタンが操作されると、図１５（ｂ）に示すように、受信した車両用機器ＩＤに対応付けて連携アプリ起動用のユーザＩＤを表示するユーザＩＤ一覧画面Ｇ２に遷移する（ステップＳ３）。このとき、携帯通信端末１２２は、車両用機器ＩＤに対応付けて各ユーザＩＤをタッチ操作により選択可能に表示する。この場合、携帯通信端末１２２は、ユーザＩＤを１つずつ選択可能に表示してもよいし、複数のユーザＩＤを一括して選択可能に表示してもよい。そして、携帯通信端末１２２は、画面上に設けられた図示しない削除ボタンが操作されると、その時点で選択されているユーザＩＤの削除を指令する削除指令信号をコンテンツ認証情報管理サーバ３２に送信する（ステップＳ４）。コンテンツ認証情報管理サーバ３２は、携帯通信端末１２２から受信した削除指令信号に基づいて、該当するユーザＩＤを削除する（ステップＴ４）。
【００７６】
なお、この削除処理は、コンテンツ認証情報管理サーバ３２にて１つの車両用機器ＩＤにて所定数以上のユーザＩＤが登録されようとする場合に、これ以上のユーザＩＤの登録ができない旨をコンテンツ認証情報管理サーバ３２から携帯通信端末１２２に通知するように構成するとよい。これにより、所定数以上のユーザＩＤを登録しようとするユーザに、ユーザＩＤの削除処理の実行を促すことができる。
【００７７】
以上に説明したように本実施形態の管理システム１０によれば、本出願人以外の第三者が所有する会員情報管理サーバ３１は、その第三者が提供するサービス（コンテンツ配信サービスに限らない）の会員として登録されているユーザを認証するための会員情報を管理するサーバであり、管理している会員情報と一致する会員情報を入力したコンテンツ実行装置１２に対して認証チケットデータを付与する。一方、本出願人が提供するコンテンツ配信サービスにおいてコンテンツ配信サーバ１１からコンテンツ実行装置１２へのコンテンツの配信を中継する中継サーバ３２，３３は、コンテンツ実行装置１２に対するコンテンツ配信サービスの利用の許可／不許可（許可あるいは不許可）を認証するためのコンテンツ認証情報を管理している。そして、中継サーバ３２，３３は、コンテンツ実行装置１２に付与された認証チケットデータに対応するコンテンツ認証情報を管理している場合に、当該コンテンツ実行装置１２に対するコンテンツの配信を許諾する。
【００７８】
この構成によれば、コンテンツ配信サービスの提供対象を認証するための複数の情報のうち会員（第三者が提供するサービスの会員のうち、さらに、本出願人が提供するコンテンツ配信サービスの会員となった者）を認証するための会員情報は、第三者が所有する既存の会員情報管理サーバ３１で管理することができる。一方、コンテンツ実行装置１２に対するコンテンツ配信サービスの利用の許可／不許可を認証するためのコンテンツ認証情報は、会員情報管理サーバ３１とは別個の中継サーバ３２，３３で管理することができる。これにより、第三者が所有する会員情報管理サーバ３１を利用して、２段階の認証処理を経てコンテンツ配信サービスを提供することができ、よりセキュリティの高い管理システムを提供することができる。
【００７９】
また、個人情報に係る会員情報を会員情報管理サーバ３１にて別個独立して管理することができ、情報管理のセキュリティを一層高めることができる。また、個人情報に係る会員情報を別個独立のサーバ３１にて管理したとしても、中継サーバ３２，３３は、サーバ３１が発行する認証チケットデータで関連付けることで、コンテンツ実行装置１２に対するコンテンツ配信サービスの利用の許可／不許可の判断（利用を許可するか否かの判断）を適切に行うことができる。
【００８０】
また、会員に関する会員情報を会員情報管理サーバ３１にて一元管理することができる。一方で、中継サーバ側（コンテンツ認証情報管理サーバ３２側、あるいは、コンテンツアクセスサーバ３３側）では会員情報を管理する必要がなく、連携アプリケーションの利用、あるいは、当該連携アプリケーション上でのコンテンツの利用に必要な情報を管理すればよい。このように、コンテンツ配信サービスの利用に必要な全ての情報を１つのサーバで管理するのではなく、情報の種類に応じてそれぞれ別個のサーバで管理するように構成した。これにより、各サーバにおける情報管理の負荷を分散（低減）することができる。
【００８１】
このように、認証に必要な複数の情報（この場合、会員情報及びコンテンツ認証情報）をそれぞれ別個のサーバにて管理するように構成した。これにより、情報管理のセキュリティを向上することができ、ひいては、サービスを円滑に提供することができる。
【００８２】
また、コンテンツ認証情報管理サーバ３２は、コンテンツの配信元であるコンテンツ配信サーバ１１によって認証されたコンテンツ認証情報を管理するように構成した。これにより、より信頼性の高い情報管理を実現することができる。また、コンテンツアクセスサーバ３３（配信許諾処理部８３）は、コンテンツ認証情報管理サーバ３２（コンテンツ認証情報管理処理部３２１）が管理しているコンテンツ認証情報に対応するコンテンツの配信を許諾し、コンテンツ認証情報管理サーバ３２が管理していないコンテンツ認証情報に対応するコンテンツの配信を許諾しないように構成した。つまり、コンテンツアクセスサーバ３３は、コンテンツ配信サーバ１１に含まれる複数のコンテンツ配信サーバからの各コンテンツの配信を一括して許諾するのではなく、各コンテンツ配信サーバからの各コンテンツの配信を、対応するコンテンツ認証情報が管理されているか否かに基づいて、それぞれ独立して許諾するように構成した。これにより、各コンテンツ配信サーバからのコンテンツ配信サービスの提供の可否をよりきめ細かく行うことができる。
【００８３】
また、コンテンツ実行装置１２に配信されるコンテンツに対応するコンテンツ認証情報がコンテンツ認証情報管理サーバ３２に管理されていない場合、あるいは、コンテンツ実行装置１２から初めて取得した認証チケットデータに基づいてコンテンツ配信サービスの利用が許諾された場合には、コンテンツ認証情報の登録が必要である旨を通知するように構成した。これにより、未登録のコンテンツ認証情報を確実に登録させることができ、より確実な認証が可能である。
また、コンテンツ認証情報管理処理部３２１と配信許諾処理部８３とをそれぞれ別のサーバ（この場合、コンテンツ認証情報管理サーバ３２、及び、コンテンツアクセスサーバ３３）に備えたので、処理の分散化を図ることができる。
【００８４】
また、管理システム１０によれば、コンテンツ実行装置１２において初めて連携アプリケーションが起動されたときに、そのコンテンツ実行装置１２を構成する車両用機器１２１がコンテンツ配信サービスを利用可能な登録車両用機器１２１Ａとして設定される。また、管理システム１０によれば、登録車両用機器１２１Ａを含むコンテンツ実行装置１２において初めて連携アプリケーションを起動する際に入力された連携アプリ起動用のユーザＩＤ、及び、その後に登録車両用機器１２１Ａを含むコンテンツ実行装置において連携アプリケーションを起動する際に入力された連携アプリ起動用の他のユーザＩＤが当該登録車両用機器１２１Ａの車両用機器ＩＤに対応付けて管理される。そして、登録車両用機器１２１Ａを含むコンテンツ実行装置１２とは異なるコンテンツ実行装置において、コンテンツ認証情報管理サーバ３２が管理している連携アプリ起動用のユーザＩＤが入力されることによって連携アプリケーションが起動された場合には、そのコンテンツ実行装置を構成する車両用機器が登録車両用機器として設定されてしまうことが禁止される。このように、コンテンツ配信サービスを利用可能に設定された登録車両用機器１２１Ａや当該登録車両用機器１２１Ａに対応付けられるユーザＩＤを適切に管理することで、コンテンツ配信サービスの提供を受けるサービス利用機器（コンテンツ実行装置）を適切に管理することができる。
【００８５】
また、管理システム１０によれば、コンテンツ認証情報管理サーバ３２が１つの車両用機器ＩＤに対応付けて管理するユーザＩＤの数が所定数を越えた場合には、それらユーザ識別情報を削除することができる。このように、コンテンツ配信サービスを利用可能に設定された登録車両用機器に対応付けられるユーザＩＤの数を適切に管理することで、コンテンツ配信サービスの提供を受けるサービス利用機器を適切に管理することができる。
【００８６】
また、管理システム１０によれば、登録車両用機器１２１Ａを含むコンテンツ実行装置１２において初めて連携アプリケーションが起動された日がコンテンツ配信サービスの利用開始日として特定され、その特定した利用開始日からの経過期間がカウントされる。そして、カウントされる経過期間が所定期間を越えるまでは、コンテンツ配信サービスの利用料金が所定の料金体系に基づいて算出される。このように、コンテンツ配信サービスの利用開始日からの経過期間に関する情報を適切に管理することで、コンテンツ配信サービスの提供を受けるサービス利用者あるいはサービス利用機器に対して課金されるサービスの利用料金を適切に管理することができる。
また、管理システム１０によれば、カウントされる経過期間が所定期間を越えた場合に、その旨を通知するように構成した。これにより、ユーザに、例えば課金システムが変更されることなどを認識させることができる。
【００８７】
なお、本発明は、上述した一実施形態のみに限定されるものではなく、その要旨を逸脱しない範囲で種々の実施形態に適用可能であり、例えば、以下のように変形または拡張することができる。
コンテンツ認証情報管理サーバ３２及びコンテンツアクセスサーバ３３は、単一の中継サーバで構成してもよい。
登録車両用機器設定処理部６１、ユーザ識別情報管理処理部６２、登録車両用機器設定禁止処理部６３、サービス利用可能化処理部６４、ユーザ識別情報削除処理部６５、サービス利用開始日特定処理部６６、経過期間カウント処理部６７、利用料金算出処理部６８、期間経過通知処理部６９などの各処理部は、コンテンツ認証情報管理サーバ３２以外のサーバに設けてもよい。
本実施形態によれば、コンテンツプログラムの実行処理自体は携帯通信端末１２２で行われるので、車両用機器１２１の処理負荷を低減することができる。よって、車両用機器１２１は、他の処理、例えば車両の走行状況に応じた動作制御など負荷が高い処理（例えば、車両の走行中は車両用機器１２１からのコンテンツの操作や出力を規制する走行規制処理など）を無理なく実行することができる。
【００８８】
車両用機器１２１としてナビゲーション装置を採用した例を示したが、必ずしもナビゲーション装置である必要はない。例えば案内機能を有するアプリケーションプログラムがインストールされた機器を車両用機器として採用してもよい。また、車両用機器は、例えば、車両に組み込まれる車載装置のほか、例えば車両に着脱可能な携帯型の無線装置などで構成することもできる。
車両用機器１２１及び携帯通信端末１２２は、有線通信回線により相互に通信可能に接続される構成としてもよい。また、コンテンツ実行装置１２は、これら車両用機器１２１及び携帯通信端末１２２からなる構成に限らず、車両用機器１２１単体または携帯通信端末１２２単体で構成してもよいし、その他の装置や端末単体で構成してもよい。また、コンテンツ実行装置１２は、車両用機器１２１及び携帯通信端末１２２にさらに別の装置や端末を組み合わせた構成としてもよい。
【符号の説明】
【００８９】
図面中、１０は管理システム、１１はコンテンツ配信サーバ、１２はコンテンツ実行装置、１２１は車両用機器、１２２は携帯通信端末、３１は会員情報管理サーバ、３２はコンテンツ認証情報管理サーバ（中継サーバ）、３２１はコンテンツ認証情報管理処理部（コンテンツ認証情報管理手段）、３３はコンテンツアクセスサーバ（中継サーバ）、５１は認証チケットデータ付与処理部（認証情報付与手段）、８３は配信許諾処理部（配信許諾手段）を示す。
【図１】
2014002714.tif 000003
【図２】
2014002714.tif 000004
【図３】
2014002714.tif 000005
【図４】
2014002714.tif 000006
【図５】
2014002714.tif 000007
【図６】
2014002714.tif 000008
【図７】
2014002714.tif 000009
【図８】
2014002714.tif 000010
【図９】
2014002714.tif 000011
【図１０】
2014002714.tif 000012
【図１１】
2014002714.tif 000013
【図１２】
2014002714.tif 000014
【図１３】
2014002714.tif 000015
【図１４】
2014002714.tif 000016
【図１５】
2014002714.tif 000017
【図１６】
2014002714.tif 000018